(57)【要約】【課題】異なる種類の電池ユニットの外観形状に関係なく電池ユニットが点灯ユニットに不適合であることを報知する。【解決手段】照明器具は、光源と、点灯ユニット４と、電池ユニット３とを備える。点灯ユニット４は、光源を点灯させる。電池ユニット３は、蓄電池３０を含み、点灯ユニット４に着脱可能である。点灯ユニット４は、点灯回路４０２と、判定部４０８と、報知部とを含む。点灯回路４０２は、光源へ給電する。判定部４０８は、電気的変量を用いて電気的変量が設定範囲内であるか否かを判定する。報知部は、電気的変量が設定範囲外であると判定部４０８が判定した場合に電池ユニット３が点灯ユニット４に不適合であることを報知する。【選択図】図１
2019153510.tif 000002
【特許請求の範囲】
【請求項１】
光源と、
前記光源を点灯させる点灯ユニットと、
蓄電池を含み、前記点灯ユニットに着脱可能である電池ユニットと、を備え、
前記点灯ユニットは、
前記光源へ給電する点灯回路と、
電気的変量を用いて前記電気的変量が設定範囲内であるか否かを判定する判定部と、
前記電気的変量が前記設定範囲外であると前記判定部が判定した場合に前記電池ユニットが前記点灯ユニットに不適合であることを報知する報知部と、
前記光源が正常に点灯するか否かを点検するときに操作される点検スイッチと、を含み、
前記判定部は、前記点検スイッチが操作されたときに、前記電気的変量が前記設定範囲内であるか否かを判定する、
照明器具。
【請求項２】
前記点灯ユニットは、前記電池ユニットが前記点灯ユニットに取り付けられたことを検出する検出部を更に含み、
前記判定部は、前記電池ユニットが前記点灯ユニットに取り付けられたことを前記検出部が検出した後、前記点検スイッチが最初に操作されたときに、前記電気的変量が前記設定範囲内であるか否かを判定する、
請求項１に記載の照明器具。
【請求項３】
前記点灯回路は、前記電気的変量が前記設定範囲内であると前記判定部が判定した場合、前記光源を通常時の明るさで点灯させる、
請求項１又は２に記載の照明器具。
【請求項４】
前記電気的変量は、前記蓄電池の出力電圧及び前記点灯回路の出力電流の少なくとも一方である、
請求項１〜３のいずれか１項に記載の照明器具。
【請求項５】
前記電気的変量は、前記蓄電池の前記出力電圧であり、
前記判定部は、前記出力電圧が前記設定範囲としての設定電圧範囲内であるか否かを判定し、
前記報知部は、前記出力電圧が前記設定電圧範囲外であると前記判定部が判定した場合に前記電池ユニットが前記点灯ユニットに不適合であることを報知する、
請求項４に記載の照明器具。
【請求項６】
前記報知部は、前記蓄電池への充電が行われているか否かを報知するモニタランプである、
請求項１〜５のいずれか１項に記載の照明器具。
【請求項７】
前記点灯ユニットは、前記蓄電池を充電するように構成されている充電回路を更に含み、
前記充電回路は、前記電気的変量が前記設定範囲外であると前記判定部が判定した場合に前記蓄電池への充電を行わない、
請求項１〜６のいずれか１項に記載の照明器具。
【請求項８】
前記点灯回路は、非常時に前記蓄電池から前記光源へ給電する、
請求項１〜７のいずれか１項に記載の照明器具。
【発明の詳細な説明】
【技術分野】
【０００１】
本発明は、照明器具に関する。
【背景技術】
【０００２】
特許文献１には、光源を含む光源ユニットが電源ユニットから着脱自在である照明器具が記載されている。特許文献１に記載された照明器具では、電源ユニットの種別判定部が、電源ユニットに光源ユニットが接続されたときに、光源ユニットの種別情報を光源ユニットから取得している。
【０００３】
また、従来、蓄電池を含む電池ユニットが、光源を点灯させる点灯ユニットに対して着脱可能である照明器具がある。この場合、点灯ユニットに適合する電池ユニットは、あらかじめ決められている。このため、点灯ユニットに適合する電池ユニットを接続する必要がある。
【先行技術文献】
【特許文献】
【０００４】
【特許文献１】特開２０１１−１３８７１６号公報
【発明の概要】
【発明が解決しようとする課題】
【０００５】
ところで、従来の照明器具では、適合しない電池ユニットが点灯ユニットに接続された場合であっても、接続された電池ユニットをそのまま使用できたり、接続された電池ユニットの蓄電池に対して充電を開始したりする可能性があるという問題があった。
【０００６】
上記のような問題を解決するために、電池ユニットの蓄電池の種類に応じて電池ユニットの電池ケースの形状つまり電池ユニットの外観形状を変えたり、点灯ユニットの筐体の形状を変えたりすることも考えられる。
【０００７】
しかしながら、蓄電池の種類に応じて電池ユニットの電池ケースの形状を変えることは、電池ケースの種類が多くなり、設備投資の点で新たな問題が生じる。
【０００８】
本発明は上記の点に鑑みてなされた発明であり、本発明の目的は、異なる種類の電池ユニットの外観形状に関係なく電池ユニットが点灯ユニットに不適合であることを報知することができる照明器具を提供することにある。
【課題を解決するための手段】
【０００９】
本発明の一態様に係る照明器具は、光源と、点灯ユニットと、電池ユニットとを備える。前記点灯ユニットは、前記光源を点灯させる。前記電池ユニットは、蓄電池を含み、前記点灯ユニットに着脱可能である。前記点灯ユニットは、点灯回路と、判定部と、報知部と、点検スイッチとを含む。前記点灯回路は、前記光源へ給電する。前記判定部は、電気的変量を用いて前記電気的変量が設定範囲内であるか否かを判定する。前記報知部は、前記電気的変量が前記設定範囲外であると前記判定部が判定した場合に前記電池ユニットが前記点灯ユニットに不適合であることを報知する。前記点検スイッチは、前記光源が正常に点灯するか否かを点検するときに操作される。前記判定部は、前記点検スイッチが操作されたときに、前記電気的変量が前記設定範囲内であるか否かを判定する。
【発明の効果】
【００１０】
本発明の上記態様に係る照明器具によれば、異なる種類の電池ユニットの外観形状に関係なく、電池ユニットが点灯ユニットに不適合であることを報知することができる。
【図面の簡単な説明】
【００１１】
【図１】図１は、本発明の一実施形態に係る照明器具の回路ブロック図である。
【図２】図２は、同上の照明器具の分解斜視図である。
【図３】図３は、同上の照明器具の動作を説明するフローチャートである。
【発明を実施するための形態】
【００１２】
以下の実施形態は、照明器具に関し、特に、蓄電池を含む電池ユニットが、光源を点灯させる点灯ユニットに対して着脱可能である照明器具に関する。
【００１３】
（１）照明器具の全体構成
以下、本実施形態に係る照明器具１について、図面を参照して詳細に説明する。ただし、以下の説明では、特に断りのない限り、図２に示す矢印によって照明器具の上下、左右、前後の各方向を規定する。
【００１４】
照明器具１は、図２に示すように、本体１０と、光源ユニット２と、電池ユニット３と、点灯ユニット４と、カバー５と、複数（図１では２つ）の支持具６と、複数（図１では２つ）の取付ばね７とを備える。照明器具１は、電池内蔵型の非常灯（非常用照明器具）として構成されており、建物の通路や廊下などの天井に埋込配設される。
【００１５】
（２）照明器具の各構成要素
以下、本実施形態に係る照明器具１の各構成要素について、図面を参照して説明する。
【００１６】
（２．１）光源ユニット
図２に示す光源ユニット２は、ＬＥＤモジュール２０（図１参照）と、放熱部材２１と、レンズブロック２２と、取付部材２３とを備える。ＬＥＤモジュール２０では、矩形平板状の実装基板の実装面の中央に少なくとも１個のＬＥＤチップ（固体発光素子）が実装されている。上記ＬＥＤチップは、例えば、青色光を放射する青色発光ダイオードであることが好ましい。また、ＬＥＤチップを含む実装基板の実装面は、ＬＥＤチップから放射される青色光を波長変換する蛍光物質が混入された封止樹脂で円盤状に被われている。さらに、実装基板には、カソードの電極とアノードの電極とが形成されている。ＬＥＤモジュール２０は、アノードの電極とカソードの電極との間に直流電圧が印加されることにより、白色の照明光を放射するように構成されている。
【００１７】
レンズブロック２２は、例えば、ガラス製であって、概ね円錐台形状のレンズ部２２０と、レンズ部２２０の周縁から外向きに突出する円環状の外鍔部とを有する。レンズ部２２０は、概ね回転放物面形状の入射面を有する。レンズ部２２０は、入射面に入射する光（ＬＥＤモジュール２０から放射される照明光）の配光を制御するように構成されている。
【００１８】
取付部材２３は、例えば、ポリカーボネート樹脂などの合成樹脂材料によって、概ね楕円形状に形成されている。取付部材２３は、上下方向から見た形状が円形である凹所２３０と、凹所２３０の底に開口する円形の窓孔２３１とを有している。また、取付部材２３は、２つのねじ孔を有している。
【００１９】
放熱部材２１は、結合部２１０と、固定部２１１と、突板部２１２とを有している。なお、結合部２１０、固定部２１１及び突板部２１２は、例えば、アルミ又はアルミ合金製の板材によって一体に形成されている。
【００２０】
結合部２１０は、左右方向を長手方向とする平板状に形成されている。結合部２１０の下面における左右方向の中央から右寄りの位置に、ＬＥＤモジュール２０（図１参照）やレンズブロック２２が取付部材２３によって取り付けられている。結合部２１０は、２つのねじ孔を有している。取付部材２３は、上記２つのねじ孔をそれぞれ通る２本（図２では１本のみ図示）のねじ２３２が、結合部２１０の２つのねじ孔にそれぞれねじ込まれることにより、結合部２１０に固定される。また、結合部２１０は、２つの丸孔２１００と、１つの角孔２１０１とを有している。２つの丸孔２１００は、前後方向に一列に並ぶように設けられている。角孔２１０１は、前後方向において２つの丸孔２１００の間に設けられている。
【００２１】
固定部２１１は、概ね矩形の平板状であって、結合部２１０の左側の縁から上向きに起立するように結合部２１０と一体に形成されている。また、固定部２１１は、前寄りの上端の近くにねじ孔２１１０が設けられている。さらに、固定部２１１は、前後方向の中央に、上端が開放された矩形の縦溝２１１１が形成されている。
【００２２】
突板部２１２は、結合部２１０の右側の縁から上向きに起立するように結合部２１０と一体に形成されている。
【００２３】
（２．２）本体
本体１０は、下面が開口した有底筒状に形成されており、電池ユニット３及び点灯ユニット４を収容する。また、本体１０は、１２個の平坦な壁を有する角筒状に形成されている。１２個の壁のうち、左側に位置する平坦な壁（平坦壁１５）に、ねじ孔１５０が設けられている。さらに、本体１０の１２個の壁のそれぞれの下端縁には、外向きに突出する複数のフランジ片１００が形成されている。
【００２４】
本体１０の左右両側の平坦壁１５には、それぞれ支持具６が１つずつ取り付けられている。一対の支持具６は、長尺の板ばね状に形成されている。各支持具６は、長手方向の一端部で本体１０の平坦壁１５に固定されており、かつ、長手方向の他端部が本体１０の底板に近付く向き（上向き）に撓み可能に構成されている。一対の支持具６は、天井材の埋込孔を通って天井材の上側に位置することにより、本体１０は、一対の支持具６と、本体１０の下端面に設けられている複数のフランジ片１００との間で天井材を挟み込むようにして天井材に支持される。
【００２５】
（２．３）カバー
カバー５は、本体１０の外径（複数のフランジ片１００の先端縁の外径）よりも大きい円盤状に形成されており、中央に円形の窓孔５０が設けられている。窓孔５０には、光源ユニット２のレンズ部２２０が通る。カバー５は、本体１０の前面の開口を開放可能に塞ぐように構成されている。カバー５の上面における前端及び後端には、それぞれ取付ばね７が取り付けられている。一対の取付ばね７は、本体１０の内周面の前側及び後側にそれぞれ一対ずつ設けられる溝１３に抜き差し可能に通される。つまり、カバー５は、一対の取付ばね７がそれぞれ一対の溝１３に通されることにより、本体１０の下面を閉塞する状態で本体１０に保持される。また、カバー５は、窓孔５０の近傍に４つの孔（第１孔５３、第２孔５４、第３孔５５、第４孔５６）が設けられている。なお、４つの孔５３〜５６は、縦横２列かつ等間隔に並べて設けられている。
【００２６】
（２．４）電池ユニット
電池ユニット３は、蓄電池３０（図１参照）と、蓄電池３０を収容する電池ケース３１とを備える。蓄電池３０は、互いに直列に接続された複数のセルで構成されている。蓄電池３０の各セルは、例えば、円筒形のニカド電池、又は、円筒形のニッケル水素電池などの２次電池である。１個のセルの電圧は、例えば１．２Ｖである。電池ケース３１は、上下両側の底面が例えば馬蹄形（Ｕ字形）である筒状に形成されている。電池ユニット３は、点灯ユニット４に着脱可能に形成されている。
【００２７】
電池ユニット３には、様々な種類がある。電池ユニット３としては、例えば、２個のセルを有するタイプ、３個のセルを有するタイプ、５個のセルを有するタイプ、及び、６個のセルを有するタイプがある。種類の異なる電池ユニット３では、互いに異なる設定範囲（設定電圧範囲）が付与されている。
【００２８】
電池ユニット３は、コネクタ部３２を更に備える。コネクタ部３２は、電池ケース３１の下側の前端部に設けられており、点灯ユニット４と電気的に接続される。また、コネクタ部３２は、一対の電力用コンタクトと、コネクタハウジング３２０とを有する。
【００２９】
コネクタハウジング３２０は、電力用コンタクトが挿入される一対の挿入穴を有する。コネクタハウジング３２０は、一対の電力用コンタクトからなる２本のコンタクトを互いに電気的に絶縁した状態で支持する。
【００３０】
片方の電力用コンタクトは、電池ケース３１内の蓄電池３０の正極と電気的に接続されている。もう片方の電力用コンタクトは、蓄電池３０の負極と電気的に接続されている。
【００３１】
また、図２に示すように、電池ケース３１の下側の後端部には、第１抜け止め部３３と第２抜け止め部３４とが設けられている。第１抜け止め部３３は、上端が電池ケース３１に固定されて左右方向に撓み可能に構成されている第１ばね片３３０と、第１ばね片３３０の下端寄りの左側面に設けられている第１突起３３１とを有する。第１突起３３１は、下に向かって第１ばね片３３０から離れる向きに傾斜する斜面を有した三角柱状に形成されている。また、第２抜け止め部３４は、上端が電池ケース３１に固定されて前後方向に撓み可能に構成されている第２ばね片３４０と、第２ばね片３４０の下端寄りの前面に設けられる第２突起３４１とを有する。第２突起３４１は、下に向かって第２ばね片３４０から離れる向きに傾斜する斜面を有した三角柱状に形成されている。
【００３２】
（２．５）点灯ユニット
点灯ユニット４は、図１に示すように、光源ユニット２のＬＥＤモジュール２０を点灯させるように構成されている。点灯ユニット４は、点灯装置４０（図１参照）と、点灯装置４０を収容する筐体４１（図２参照）とを備える。さらに、点灯ユニット４は、コネクタを備える。
【００３３】
（２．５．１）コネクタ
コネクタは、筐体４１に電池ユニット３及び点灯ユニット４が収容されている状態において、電池ユニット３のコネクタ部３２に接続される。コネクタは、一対の電力用コンタクトと、コネクタハウジングとを有する。コネクタハウジングは、一対の電力用コンタクトからなる２本のコンタクトを互いに電気的に絶縁した状態で支持する。一対の電力用コンタクトは、点灯装置４０において充電回路４０１及び点灯回路４０２の両方に電気的に接続されている。コネクタに電池ユニット３のコネクタ部３２が接続されているとき、点灯ユニット４の電力用コンタクトは、それぞれ対応する電池ユニット３の電力用コンタクトに電気的に接続される。
【００３４】
（２．５．２）点灯装置
点灯装置４０は、図１に示すように、直流電源回路４００と、充電回路４０１と、点灯回路４０２と、停電検出回路４０３と、制御回路４０４と、モニタランプ４０５とを備える。さらに、点灯装置４０は、点検スイッチ４３と、自己点検スイッチ４４と、検出スイッチ４５と、電圧測定部４６と、受信部４８とを備える。
【００３５】
直流電源回路４００は、例えば、リンギングチョークコンバータなどの自励型のスイッチング電源回路である。直流電源回路４００は、外部電源（例えば、商用の電力系統）９から供給される交流電圧を、当該交流電圧の実効値よりも低い直流電圧に変換するように構成されている。
【００３６】
充電回路４０１は、電池ユニット３の蓄電池３０を充電するように構成されている。充電回路４０１は、外部電源９から給電されているときに動作し、直流電源回路４００から電池ユニット３へ一定の充電電流を流すように構成されている。
【００３７】
点灯回路４０２は、光源ユニット２のＬＥＤモジュール２０へ給電するように構成されている。より詳細には、点灯回路４０２は、後述の点灯制御回路４０９の指示に従って、電池ユニット３から供給される直流電流を定電流化して光源ユニット２に供給するように構成されている。
【００３８】
停電検出回路４０３は、直流電源回路４００の出力電圧から外部電源９の停電を検出して制御回路４０４に通知するように構成されている。
【００３９】
受信部４８は、赤外線を通信媒体とする無線信号を受信し、受信した無線信号から送信フレームを復調して制御回路４０４に渡すように構成されている。この無線信号は、定期点検の作業を行う作業者に操作されるワイヤレス送信器から送信される。なお、定期点検は、法令で定められた期間ごとに実施され、点灯回路４０２を強制的に動作させて光源ユニット２のＬＥＤモジュール２０が規定の時間以上、点灯状態を維持することを確認することを目的として行われる。
【００４０】
点検スイッチ４３は、光源ユニット２のＬＥＤモジュール２０が正常に点灯するか否かを点検するときに押操作される。例えば、点検スイッチ４３は、電池ユニット３が点灯ユニット４に取り付けられて蓄電池３０が充電された後に押操作される。
【００４１】
検出スイッチ４５は、電池ユニット３が点灯ユニット４に取り付けられたときに、オンオフ状態が切り替わる。検出スイッチ４５は、例えば、電池ユニット３が点灯ユニット４に取り付けられていないときにオフ状態であり、電池ユニットが点灯ユニット４に取り付けられているときにオン状態である。つまり、検出スイッチ４５は、電池ユニット３が点灯ユニット４に取り付けられたことを検出するためのスイッチである。
【００４２】
電圧測定部４６は、電池ユニット３の蓄電池３０の出力電圧を測定するために設けられている。例えば、電圧測定部４６は、直列に接続されている２つの抵抗と、上記２つの抵抗に直列に接続されているスイッチとを備える。２つの抵抗とスイッチとの直列回路は、電池ユニット３の両端間に接続されている。２つの抵抗の中間点と電池ユニット３の一端との間の電圧の電圧値が制御回路４０４に出力される。上記スイッチは、電池ユニット３の出力電圧を測定する際にオン状態となる。一方、電池ユニット３の出力電圧の測定を行わないときは、スイッチはオフ状態となる。
【００４３】
制御回路４０４は、プロセッサ及びメモリが搭載されたコンピュータ（マイクロコンピュータを含む）を主構成要素とする。上記コンピュータは、適宜のプログラムを実行することにより、制御回路４０４として機能する。
【００４４】
制御回路４０４は、点灯制御回路４０９を備える。点灯制御回路４０９は、非常時に蓄電池３０からＬＥＤモジュール２０へ給電するように点灯回路４０２を制御する。
【００４５】
点灯制御回路４０９は、停電検出回路４０３が停電を検出していないとき、充電回路４０１を動作させ、かつ、点灯回路４０２を停止させるように構成されている。また、点灯制御回路４０９は、停電検出回路４０３が停電を検出しているとき、充電回路４０１を停止させ、かつ、点灯回路４０２を動作させるように構成されている。
【００４６】
ところで、制御回路４０４は、記憶部４０７と、判定部４０８とを更に備える。判定部４０８は、電池ユニット３（蓄電池３０）が点灯ユニット４に適合するか否かを判定するように構成されている。特に、判定部４０８は、照明器具１の設置段階における電池ユニット３の適合性判断を行う。
【００４７】
記憶部４０７は、例えば半導体メモリであり、設定範囲を記憶する。本実施形態では、記憶部４０７は、照明器具１の点灯ユニット４に適合する電池ユニット３の種類に対応する設定電圧範囲をあらかじめ記憶する。設定電圧範囲は、電池ユニット３の種類に対応してあらかじめ設定された電圧範囲である。記憶部４０７は、判定部４０８による判定が行われる前に、点灯ユニット４に適合する電池ユニットのタイプに対応する設定電圧範囲を記憶する。例えば照明器具１の製造時に、記憶部４０７は、設定電圧範囲を記憶する。
【００４８】
電池ユニット３の種類は、例えば、光源であるＬＥＤモジュール２０の定格電力、及び、電池ユニット３（蓄電池３０）からの電力供給によるＬＥＤモジュール２０の点灯継続時間（例えば３０分間、６０分間）によって区別される。特に、照明器具１が非常灯（非常用照明器具）又は誘導灯などの防災用照明器具である場合、ＬＥＤモジュール２０（光源）の定格電力及び点灯継続時間は、法律などで定められている。電池ユニット３からの出力電圧は、ＬＥＤモジュール２０の定格電力及び点灯継続時間によって決まる。
【００４９】
判定部４０８は、電気的変量を用いて、電気的変量が設定範囲内であるか否かを判定する。本実施形態の電気的変量は、蓄電池３０の出力電圧である。本実施形態では、判定部４０８は、蓄電池３０の出力電圧が設定電圧範囲内であるか否かを判定する。
【００５０】
まず、判定部４０８は、蓄電池３０の出力電圧に関する情報を電圧測定部４６から取得する。また、判定部４０８は、設定電圧範囲を記憶部４０７から取得する。そして、判定部４０８は、蓄電池３０の出力電圧が設定電圧範囲内であるか否かを判定する。上記出力電圧が設定電圧範囲内である場合、判定部４０８は、点灯ユニット４に取り付けられている電池ユニット３が点灯ユニット４に適合していると仮判定する。一方、上記出力電圧が設定電圧範囲外である場合、判定部４０８は、電池ユニット３が点灯ユニット４に不適合であると判定する。
【００５１】
また、点灯回路４０２は、電気的変量が設定範囲内であると判定部４０８が判定した場合、光源を通常時の明るさで点灯させる。本実施形態では、点灯回路４０２は、出力電圧が設定電圧範囲内であると判定部４０８が判定した場合、光源ユニット２のＬＥＤモジュール２０を通常時の明るさで点灯させるように構成されている。本実施形態における「通常時」とは、ＬＥＤモジュール２０を点灯させる必要がある時をいう。例えば、照明器具１が非常用照明器具である場合、停電時等の非常時をいう。通常時の出力電流は、例えば照明器具１の定格電流である。
【００５２】
ところで、本実施形態では、判定部４０８は、点検スイッチ４３が操作されたときに、電気的変量が設定範囲内であるか否かを判定する。より詳細には、判定部４０８は、電池ユニット３が点灯ユニット４に取り付けられた後、点検スイッチ４３が最初に操作されたときに、電気的変量が設定範囲内であるか否かを判定する。制御回路４０４は、検出スイッチ４５のオンオフ状態から、電池ユニット３が点灯ユニット４に取り付けられたことを検出する検出部として機能する。
【００５３】
モニタランプ４０５は、例えば、緑色光を放射する発光ダイオードであり、充電回路４０１から電池ユニット３に供給される充電電流によって発光する。つまり、モニタランプ４０５は、充電回路４０１による充電が行われているか否かを報知する。作業者は、電池ユニット３を本体１０に取り付けたときに、モニタランプ４０５の点灯状態を確認する。
【００５４】
また、モニタランプ４０５は、電気的変量が設定範囲外であると判定部４０８が判定した場合に、点灯ユニット４に取り付けられている電池ユニット３が点灯ユニット４に不適合であることを報知する。例えば、電池ユニット３が点灯ユニット４に不適合である場合、モニタランプ４０５は、正常時とは異なる点灯状態で点灯する。電池ユニット３が点灯ユニット４に不適合である場合、モニタランプ４０５は、例えば点滅又は消灯する。本実施形態では、モニタランプ４０５は、蓄電池３０の出力電圧が設定電圧範囲外であると判定部４０８が判定した場合に電池ユニット３が点灯ユニット４に不適合であることを報知する。
【００５５】
充電回路４０１は、電気的変量が設定範囲外であると判定部４０８が判定した場合に、蓄電池３０への充電を行わない。つまり、蓄電池３０の出力電圧が設定電圧範囲外である場合、充電回路４０１は、蓄電池３０への充電を行わない。
【００５６】
点灯装置４０は、プリント配線板からなる回路基板の第１面に実装される種々の電子部品と、回路基板の第２面（第１面の裏面）に形成される導体とで各回路を実現するように構成されている。モニタランプ４０５、受信部４８、点検スイッチ４３、及び自己点検スイッチ４４は、いずれも回路基板の第１面に実装される。なお、自己点検スイッチ４４は、押釦を下に向けて実装される。
【００５７】
（３）照明器具の組立手順
次に、照明器具１の組立手順について図２を参照して説明する。ただし、一対の支持具６は、既に本体１０に取り付けられている。
【００５８】
まず、組立作業を行う作業者は、本体１０内に点灯ユニット４を収容し、本体１０の底板の固定片に点灯ユニット４の筐体４１をかしめ固定する。それから、作業者は、光源ユニット２を点灯ユニット４の筐体４１に取り付ける。ここで、筐体４１の下面には、放熱部材２１の２つの丸孔２１００をそれぞれ個別に通る２つの突起４１１と、放熱部材２１の角孔２１０１を通る引掛部４１２とが下向きに突出して設けられている。作業者は、放熱部材２１の結合部２１０に設けられている２つの丸孔２１００を２つの突起４１１が個別に通り、かつ、角孔２１０１を通った引掛部４１２を角孔２１０１の周囲に引っ掛けて、光源ユニット２を筐体４１に仮止めする。このとき、作業者は、本体１０の左側の平坦壁１５と点灯ユニット４との間に放熱部材２１の固定部２１１を差し込み、かつ、本体１０内に電池ユニット３が収容されたときに電池ケース３１の内側（左側）に位置するように突板部２１２を配置する。なお、光源ユニット２のプラグコネクタ２６は、筐体４１の中央の開口部の奥に配置されているレセプタクルコネクタと電気的かつ機械的に接続される。そして、作業者は、本体１０の外から平坦壁１５のねじ孔１５０をねじ１５１が通り、放熱部材２１の固定部２１１のねじ孔２１１０にねじ１５１をねじ込む。その結果、放熱部材２１は、固定部２１１が本体１０にねじ止めされることにより、本体１０と熱的及び機械的に結合される。
【００５９】
続いて、作業者は、本体１０内に電池ユニット３を収容する。電池ユニット３のコネクタ部３２は、電池ユニット３が本体１０内に収容される際に、点灯ユニット４のコネクタと電気的かつ機械的に接続される。ここで、筐体４１の右側面の後端寄りの部位には、凹部が設けられている。そして、電池ユニット３の第１抜け止め部３３の第１突起３３１が筐体４１の凹部に引っ掛かることにより、電池ユニット３が点灯ユニット４の筐体４１に取り付けられる。一方、電池ユニット３を本体１０から取り外す場合、作業者は、最初に第１抜け止め部３３の第１ばね片３３０を指で摘まんで撓ませ、第１突起３３１と凹部の引っ掛かりを解除する。そうすると、電池ユニット３は、第２抜け止め部３４の第２突起３４１が放熱部材２１の結合部２１０に引っ掛かる位置まで引き下ろされる。そこから、作業者が第２ばね片３４０を指で摘まんで撓ませ、第２突起３４１と結合部２１０との引っ掛かりを解除すれば、電池ユニット３を本体１０から引き抜いて取り外すことができる。
【００６０】
最後に、作業者は、一対の取付ばね７を本体１０の内周面の前側及び後側にそれぞれ一対ずつ設けられる溝１３に通すことにより、本体１０の下面を閉塞するようにカバー５を本体１０に保持させる。以上のようにして、照明器具１の組立が完了する。
【００６１】
（４）照明器具の動作
次に、本実施形態に係る照明器具１の動作について図３を参照して説明する。
【００６２】
まず、制御回路４０４の記憶部４０７が設定電圧範囲をあらかじめ記憶している。また、照明器具１の組立が完了した時点で、制御回路４０４は、検出スイッチ４５のオンオフ状態により、電池ユニット３が点灯ユニット４に取り付けられたことを検出する。
【００６３】
照明器具１の組立が完了した後、作業者が点検スイッチ４３を押すと、制御回路４０４は、点検スイッチ４３への押操作を検出する（図３のＳ１）。
【００６４】
制御回路４０４は、点検スイッチ４３への押操作を検出すると、電圧測定部４６のスイッチをオン状態にし、蓄電池３０の出力電圧を測定する（Ｓ２）。点灯ユニット４の判定部４０８は、蓄電池３０の出力電圧が記憶部４０７に記憶されている設定電圧範囲内であるか否かを判定する（Ｓ３）。上記出力電圧が設定電圧範囲内であると判定部４０８が判定した場合（Ｓ３のＹｅｓ）、制御回路４０４は、点灯ユニット４に取り付けられている電池ユニット３が点灯ユニット４に適合している状態（正常状態）を報知するようにモニタランプ４０５を制御する。モニタランプ４０５は、制御回路４０４の指示に従って、正常状態を表す点灯状態で点灯する（Ｓ４）。その後、点灯制御回路４０９は、ＬＥＤモジュール２０が定格で点灯するように、点灯回路４０２を制御する。ＬＥＤモジュール２０は、点灯回路４０２の指示に従って、定格で点灯する（Ｓ５）。
【００６５】
ステップＳ３において、蓄電池３０の出力電圧が設定電圧範囲外であると判定部４０８が判定した場合（Ｓ３のＮｏ）、制御回路４０４は、電池ユニット３が点灯ユニット４に不適合である状態（異常状態）を報知するようにモニタランプ４０５を制御する。モニタランプ４０５は、制御回路４０４の指示に従って、異常状態を表す点灯状態で点灯する（Ｓ６）。
【００６６】
上記の動作により、異なる種類の電池ユニット３の外観形状が同じであっても、電池ユニット３が点灯ユニット４に不適合であることを報知することができる。
【００６７】
（５）変形例
点灯ユニット４の判定部４０８での判定に用いられる電気的変量は、蓄電池３０の出力電圧であることに限定されない。上記電気的変量は、点灯回路４０２の出力電流であってもよいし、蓄電池３０の出力電圧及び点灯回路４０２の出力電流の両方であってもよい。要するに、上記電気的変量は、蓄電池３０の出力電圧及び点灯回路４０２の出力電流の少なくとも一方であればよい。上記電気的変量として点灯回路４０２の出力電流が用いられる場合、記憶部４０７は、照明器具１の点灯ユニット４に適合する電池ユニット３の種類に対応する設定電流範囲をあらかじめ記憶する。設定電流範囲は、電池ユニット３の種類に対応してあらかじめ設定された電流範囲である。
【００６８】
点灯ユニット４の記憶部４０７は、１つの設定範囲のみを記憶していることに限定されない。記憶部４０７は、複数の設定範囲を記憶していてもよい。この場合、実際に用いる設定範囲を、ディップスイッチなどの切替部によって切り替えるようにすればよい。これにより、異なる種類の電池ユニット３と組み合わされる点灯ユニット４の共通化を図ることができる。例えば点灯継続時間が３０分間である照明器具の点灯ユニットと、点灯継続時間が６０分間である照明器具の点灯ユニットとを共通にすることができるので、製造上の利点がある。
【００６９】
電池ユニット３が点灯ユニット４に不適合であることを報知する報知部は、蓄電池３０への充電が行われているか否かを報知するモニタランプ４０５に限定されない。上記報知部は、モニタランプ４０５とは別体の表示部であってもよい。また、上記報知部は、表示部に限定されない。上記報知部は、例えばスピーカのような、音又は音声を出力する音出力部であってもよい。さらに、モニタランプ４０５は、電池ユニット３が点灯ユニット４に不適合である場合、消灯するように設定されていてもよい。要するに、報知部は、電池ユニット３が点灯ユニット４に不適合であることを報知する機能を有していればよい。
【００７０】
電池ユニット３が点灯ユニット４に不適合であると判定部４０８が判定した場合、充電回路４０１は、蓄電池３０への充電を行わないことに限定されない。電池ユニット３が点灯ユニット４に不適合である場合であっても、蓄電池３０への充電を許容してもよいときは、充電回路４０１は、蓄電池３０への充電を行ってもよい。
【００７１】
なお、点灯ユニット４の判定部４０８は、通常時よりも小さい電気的変量を用いて電気的変量が設定範囲内であるか否かを判定してもよい。報知部は、実施形態１の報知部と同様、電気的変量が設定範囲外であると判定部４０８が判定した場合に電池ユニット３が点灯ユニット４に不適合であることを報知する。
【００７２】
本変形例の場合、例えば、点灯回路４０２は、通常時の出力電流よりも小さい電流を出力電流として光源ユニット２のＬＥＤモジュール２０に供給する。判定部４０８は、通常時の出力電流（定格電流）よりも小さい出力電流を用いて、出力電流が設定電流範囲内であるか否かを判定する。この場合、ＬＥＤモジュール２０は、通常時よりも小さい明るさで点灯してもよいし、消灯したままであってもよい。
【００７３】
あるいは、電圧測定部４６は、電池ユニット３の両端間に直列に接続されている２つの抵抗及びスイッチと、蓄電池３０と２つの抵抗との間に、２つの抵抗と直列に接続されている抵抗を新たに追加すればよい。この場合、新たに追加された抵抗により、電圧測定部４６で測定される電圧の電圧値は、通常時の出力電圧の電圧値よりも小さくなる。判定部４０８は、通常時の出力電圧よりも低い出力電圧を用いて、出力電圧が設定電圧範囲内であるか否かを判定する。
【００７４】
照明器具は、埋込型の非常灯に限定されず、天井に直付けされる直付け型の非常灯であっても構わない。
【００７５】
また、照明器具は、非常灯ではなく、非常時に人を誘導するための誘導灯であってもよい。要するに、照明器具は、防災用照明器具であることが好ましい。
【００７６】
（６）効果
第１の態様に係る照明器具（１）は、光源（ＬＥＤモジュール２０）と、点灯ユニット（４）と、電池ユニット（３）とを備える。点灯ユニット（４）は、光源を点灯させる。電池ユニット（３）は、蓄電池（３０）を含み、点灯ユニット（４）に着脱可能である。点灯ユニット（４）は、点灯回路（４０２）と、判定部（４０８）と、報知部（モニタランプ４０５）と、点検スイッチ（４３）とを含む。点灯回路（４０２）は、光源へ給電する。判定部（４０８）は、電気的変量が設定範囲内であるか否かを判定する。報知部は、電気的変量が設定範囲外であると判定部（４０８）が判定した場合に電池ユニット（３）が点灯ユニット（４）に不適合であることを報知する。点検スイッチ（４３）は、光源（ＬＥＤモジュール２０）が正常に点灯するか否かを点検するときに操作される。判定部（４０８）は、点検スイッチ（４３）が操作されたときに、電気的変量が設定範囲内であるか否かを判定する。
【００７７】
第１の態様に係る照明器具（１）では、点灯ユニット（４）が、電気的変量が設定範囲内であるか否かを判定する。そして、電気的変量が設定範囲外である場合に電池ユニット（３）が点灯ユニット（４）に不適合であることを報知部（ＬＥＤモジュール２０）が報知する。これにより、電池ユニット（３）が点灯ユニット（４）に不適合である場合に作業者に知らせることができるので、電池ユニット（３）と点灯ユニット（４）との組合せの間違いを低減させることができる。
【００７８】
特に、照明器具（１）が非常灯又は誘導灯などの防災用照明器具である場合、光源（ＬＥＤモジュール２０）の点灯継続時間及び定格電力が法律などで定められている。このため、電池ユニット（３）と点灯ユニット（４）との組合せの間違いを低減させる必要があり、効果的である。
【００７９】
また、第１の態様に係る照明器具（１）では、点検スイッチ（４３）が操作されたときに、電気的変量が設定範囲内であるか否かを判定部（４０８）が判定する。これにより、光源（ＬＥＤモジュール２０）の点検時に電池ユニット（３）が点灯ユニット（４）に適合しているか否かを判定することができる。
【００８０】
第２の態様に係る照明器具（１）では、第１の態様において、点灯ユニット（４）は、検出部（制御回路４０４）を更に含む。検出部は、電池ユニット（３）が点灯ユニット（４）に取り付けられたことを検出する。判定部（４０８）は、電池ユニット（３）が点灯ユニット（４）に取り付けられたことを検出部が検出した後、点検スイッチ（４３）が最初に操作されたときに、電気的変量が設定範囲内であるか否かを判定する。
【００８１】
第２の態様に係る照明器具（１）では、電池ユニット（３）が点灯ユニット（４）に取り付けられた後、点検スイッチ（４３）が最初に操作されたときに、電池ユニット（３）が点灯ユニット（４）に適合しているか否かを判定する。これにより、不要な判定を繰り返すということを低減させることができる。
【００８２】
第３の態様に係る照明器具（１）では、第１又は２の態様において、点灯回路（４０２）は、電気的変量が設定範囲内であると判定部（４０８）が判定した場合、光源（ＬＥＤモジュール２０）を通常時の明るさで点灯させる。
【００８３】
第３の態様に係る照明器具（１）では、電池ユニット（３）が点灯ユニット（４）に適合していると判定された後、光源（ＬＥＤモジュール２０）が正常に点灯するか否かの点検を行うことができる。
【００８４】
第４の態様に係る照明器具（１）では、第１〜３の態様のいずれか１つにおいて、電気的変量は、蓄電池（３０）の出力電圧及び点灯回路（４０２）の出力電流の少なくとも一方である。
【００８５】
第４の態様に係る照明器具（１）によれば、比較的測定しやすい変量を用いることができる。
【００８６】
第５の態様に係る照明器具（１）では、第４の態様において、電気的変量は、蓄電池（３０）の出力電圧である。判定部（４０８）は、上記出力電圧が設定範囲としての設定電圧範囲内であるか否かを判定する。報知部（モニタランプ４０５）は、上記出力電圧が設定電圧範囲外であると判定部（４０８）が判定した場合に電池ユニット（３）が点灯ユニット（４）に不適合であることを報知する。
【００８７】
第５の態様に係る照明器具（１）によれば、電気的変量として、測定しやすい変量を用いるため、電池ユニット（３）が点灯ユニット（４）に適合しているか否かの判定を精度よく行うことができる。
【００８８】
第６の態様に係る照明器具（１）では、第１〜５の態様のいずれか１つにおいて、報知部は、蓄電池（３０）への充電が行われているか否かを報知するモニタランプである。
【００８９】
第６の態様に係る照明器具（１）では、報知部が、蓄電池（３０）への充電が行われているか否かを報知するモニタランプである。これにより、充電状態を報知するモニタランプを用いて、電池ユニット（３）が点灯ユニット（４）に不適合であることを作業者に知らせることができる。
【００９０】
第７の態様に係る照明器具（１）では、第１〜６の態様のいずれか１つにおいて、点灯ユニット（４）は、充電回路（４０１）を更に含む。充電回路（４０１）は、蓄電池（３０）を充電するように構成されている。充電回路（４０１）は、電気的変量が設定範囲外であると判定部（４０８）が判定した場合に蓄電池（３０）への充電を行わない。
【００９１】
第７の態様に係る照明器具（１）では、不適合の電池ユニット（３）の蓄電池（３０）への充電を行わない。これにより、間違った使用を継続することを低減させることができる。
【００９２】
第８の態様に係る照明器具（１）では、第１〜７の態様のいずれか１つにおいて、点灯回路（４０２）は、非常時に蓄電池（３０）から光源（ＬＥＤモジュール２０）へ給電する。
【００９３】
第８の態様に係る照明器具（１）では、非常時に蓄電池（３０）から光源（ＬＥＤモジュール２０）へ給電する。これにより、非常時に光源を点灯させることができる。
【符号の説明】
【００９４】
１  照明器具
２０  ＬＥＤモジュール（光源）
３  電池ユニット
３０  蓄電池
４  点灯ユニット
４０１  充電回路
４０２  点灯回路
４０４  制御回路（検出部）
４０５  モニタランプ（報知部）
４０８  判定部
４３  点検スイッチ
【図１】
2019153510.tif 000003
【図２】
2019153510.tif 000004
【図３】
2019153510.tif 000005